(57)【要約】  【課題】  携帯装置のための着信音を管理するための改良された方法、装置、およびコンピュータ命令を提供する。  【解決手段】  別の携帯装置からの無線通信が検出される。別の携帯装置からの無線通信を検出することに応答して、別の携帯装置によって使用される着信音が識別される。携帯装置についての現在の着信音は、識別された着信音に応じて、代替の着信音に選択的に変更される。【選択図】      図７
2008522518.tif 000002
【特許請求の範囲】
【請求項１】
携帯装置において着信音を管理するための方法であって、
別の携帯装置からの無線通信を検出するステップと、
前記別の携帯装置からの前記無線通信を検出することに応答して、前記別の携帯装置によって使用される着信音を識別して識別された着信音を形成するステップと、
前記携帯装置についての現在の着信音を代替の着信音に選択的に変更するステップと
を含む方法。
【請求項２】
前記識別するステップは、前記別の携帯装置から送信されるリング識別子を受信するステップを含む請求項１に記載の方法。
【請求項３】
前記リング識別子は、前記現在の着信音についての現在のリング識別子を送信することに応答して受信される請求項２に記載の方法。
【請求項４】
前記選択的に変更するステップは、
前記リング識別子を前記現在の着信音についての現在のリング識別子と比較して前記現在の着信音が前記別の携帯装置によって使用される着信音と同じ着信音であるかどうかを判定するステップと、
前記現在の着信音が前記着信音と同じであることに応答して、前記現在の着信音を代替の着信音に変更するステップと
を含む請求項１から３のいずれか１項に記載の方法。
【請求項５】
ユーザ・プロファイルに基づいて、前記現在の着信音を代替の着信音に変更する請求項４に記載の方法。
【請求項６】
前記選択的に変更するステップは、
前記リング識別子を前記現在の着信音についての現在のリング識別子と比較して前記現在の着信音が前記別の携帯装置によって使用される着信音と同じ着信音であるかどうかを判定するステップと、
前記現在の着信音が前記着信音と同じであることに応答して、新しい着信音を選択するようにユーザ入力を促すステップと
を含む請求項１から３のいずれか１項に記載の方法。
【請求項７】
前記新しい着信音は、前記現在の着信音および前記現在の着信音と異なる着信音の一方から選択される請求項６に記載の方法。
【請求項８】
携帯装置において着信音を管理するためのデータ処理システムであって、請求項１から７のいずれか１項に記載の方法のステップを実行する手段を備えたデータ処理システム。
【請求項９】
携帯装置において着信音を管理するためのコンピュータ・プログラム製品であって、請求項１から７のいずれか１項に記載の方法のステップを実行するために前記携帯装置で実行可能な命令を備えたコンピュータ・プログラム製品。
【請求項１０】
相互接続システムと、
前記相互接続システムに接続される通信ユニットと、
前記相互接続システムに接続され、一組の命令を含むメモリと、
前記相互接続システムに接続されるプロセッサ・ユニットであって、別の携帯装置からの無線通信を検出し、前記別の携帯装置によって使用される着信音を識別して識別された着信音を形成することに応答して、前記別の携帯装置からの前記無線通信を検出し、前記携帯装置についての現在の着信音を代替の着信音に選択的に変更するための、前記一組の命令を実行するプロセッサ・ユニットと
を含む携帯装置システム。
【発明の詳細な説明】
【技術分野】
【０００１】
本発明は一般的には改良されたデータ処理システムに関し、特にはデータを処理する方法および装置に関する。さらにより詳細には、本発明は携帯装置において着信音を管理する方法、装置、およびコンピュータ命令に関する。
【背景技術】
【０００２】
今日、携帯電話は、通信用に使用される非常に一般的な装置である。世界全体にわたる数百万の人々が、携帯電話同士で、または携帯電話と固定電話との間で、通信するために携帯電話を使用する。携帯電話は、公共および民間の場所のどこででも使用される。これらの携帯電話は、ユーザが電話をかけ、電話を受けることを可能にする以外に、多くの特徴を有する。携帯電話は、ユーザが、コンテンツ情報を記憶し、テキストメッセージを送受信し、ゲームをし、予約を設定し追跡し、タスクリストを生成することを可能にする。
【０００３】
別の特徴は、到来するコールをユーザに報知するのに使用される着信音を選択し変更することができることである。規則的トーンおよび多音トーンなど、多くのタイプの着信音が利用可能である。着信音は変更可能であるが、非常にしばしば、同じエリア内で異なる携帯電話が同じ着信音を使用するであろう。たとえば、列車の駅、空港、またはショッピングモールなどの混雑した公共エリア内の携帯電話の中には、コールが、その携帯電話用であるか、同じ着信音を用いた他のユーザ用であるかを、ユーザが区別することを不可能にするものもあるであろう。本明細書で使用される着信音は、コールが存在することを指示するために携帯電話などの携帯装置によって生成された可聴の報知である。
【発明の開示】
【発明が解決しようとする課題】
【０００４】
本発明は、携帯装置用のための着信音を管理するための改良された方法、装置、およびコンピュータ命令を提供する。
【課題を解決するための手段】
【０００５】
無線通信が別の携帯装置から検出される。別の携帯装置からの無線通信を検出することに応答して、別の携帯装置によって使用される着信音が識別され、識別された着信音が形成される。識別された着信音に従って、携帯装置についての現在の着信音が代替の着信音に選択的に変更される。
【０００６】
本発明の好ましい実施形態は、ここで、単に例として、また、添付図面を参照して述べられるであろう。
【発明を実施するための最良の形態】
【０００７】
ここで図を参照して、特に、図１を参照して、本発明を実施することができる携帯装置を示す図解が、好ましい実施形態によって示される。この例では、携帯装置は、携帯電話１００、１０２、１０４、および１０６を含む。この図の携帯装置はまた、携帯情報端末（ＰＤＡ）１０８および１１０を含む。本発明のメカニズムは、異なる携帯装置で設定された着信音を、特に着信音が同じデフォルト着信音として設定されるときに、区別することを可能にする。
【０００８】
本発明のメカニズムは、携帯電話１００などの携帯装置が、携帯電話１０２などの別の携帯装置を近くで検出する場合に、その着信音を変更することを可能にする。これらの例では、別の携帯装置は、ブルートゥースなどの無線システムによって検出されてもよい。ブルートゥースは、インターネット・デバイスなどのデバイス間の通信、および、デバイスとインターネットとの間の通信を単純化することを目的とする短距離無線技術である。この技術はまた、インターネット・デバイスと他のコンピュータとの間のデータ同期を単純化することを目的とする。携帯電話１００が、携帯電話１０２を検出すると、携帯電話１００は、そのリング識別子（ｒｉｎｇ  ｉｄｅｎｔｉｆｉｅｒ）をブロードキャストする。リング識別子を受信することに応答して、携帯電話１０２は、そのリング識別子を送信し、リング識別子は、携帯電話１００によって受信される。携帯電話１００は、それのリング識別子を携帯電話１０２からのリング識別子と比較する。着信音が同じである場合、携帯電話１００は、それの着信音を代替の着信音に変更してもよい。この代替の着信音は、一時的な着信音であり、タイマの終了またはユーザ入力などの、あるイベントに応答してデフォルトの着信音に復帰してもよい。ユーザはまた、代替の着信音への変更を知らされる。この特定の例では、携帯電話１００は、別の携帯装置の存在を検出する最初のものである。
【０００９】
特定の実施態様に応じて、携帯電話１０２は、それのリング識別子を携帯電話１００によってブロードキャストされたリング識別子と比較してもよい。この場合、２つの携帯装置が同じ着信音を使用している場合、携帯電話１０２はそのデフォルト着信音を代替の着信音に変更してもよい。さらに、この携帯装置の検出および着信音の変更は、ブルートゥースなどの短距離無線伝送によって互いを検出することができる複数のデバイスに適用されてもよい。
【００１０】
携帯電話１００、１０２、１０４、および１０６、ならびに、ＰＤＡ１０８および１１０などの複数の携帯装置に関して、上述した着信音識別および比較プロセスが使用されてもよい。このシステムを用いて、別の携帯装置を検出する、着信音の識別および比較が、各携帯装置間で行われる。あるいは、優先順位システムを使用して、同じ着信音を有するどの携帯装置が、代替の着信音に変更するかが識別されてもよい。
【００１１】
これらの例示的な例のそれぞれの場合において、携帯装置は、ブルートゥースを使用可能であり、代替の着信音を選択し割り当てる能力を有し、使用中の現在の着信音についてリング識別子をブロードキャストすることができる。こうして、着信音が自動的に変更されて、ユーザが、自分の携帯装置が、いつ警報を生成するかを決定することを可能にしてもよい。
【００１２】
次に、図２を参照すると、本発明を実施することができる携帯電話が示される。携帯電話２００は、図１の携帯電話１００などの携帯電話の例である。携帯電話２００は、写真およびテキストを表示することができるスクリーン２０２を含む。さらに、携帯電話２００はまた、数字キーパッド２０４、ジョイスティック２０６、および、ジョイスティック２０６の回りに設置されたボタン２０８、２１０、２１２、および２１４を含む。これらのボタンは、携帯電話２００の種々の機能を始動するのに使用される。これらの機能は、たとえば、メニューを起動すること、カレンダを表示すること、または、コールを始動することを含む。携帯電話２００はまた、カメラを含み、カメラは、実施態様に応じて、写真またはビデオをとるのに使用されてもよい。
【００１３】
図３を参照すると、カメラ付き電話のブロック図が、本発明の好ましい実施形態に従って示される。カメラ付き電話３００は、ベースバンド・プロセッサ３０２、アプリケーション・プロセッサ３０４、フラッシュ／スタティック・ランダム・アクセス・メモリ（ＳＲＡＭ）３０６、フラッシュ・カード３０８、無線周波数集積回路（ＲＦＩＣ）３１０、無線周波数（ＲＦ）モジュール３１２、アンテナ３１４、ブルートゥース・ユニット３１６、カラー液晶ディスプレイ（ＬＣＤ）３１８、カメラ３２０、およびＩＣカード３２２を含む。
【００１４】
ベースバンド・プロセッサ３０２は、受信機および送信機動作を備え、送受信機とも呼ばれる。特に、ベースバンド・プロセッサ３０２は、ＲＦ伝送、または、ブルートゥース伝送を使用してデータを送受信するのに必要とされる音声、信号、およびデータ処理の全てを扱う。アプリケーション・プロセッサ３０４は、カメラ電話３００内での他の機能についての処理パワーを提供する。たとえば、計算機、カレンダ、アラーム、カメラ機能、およびディレクトリは、アプリケーション・プロセッサ３０４を通して提供される。フラッシュ／ＳＲＡＭ３０６は、記憶デバイスであり、記憶デバイス内に、カメラ付き電話３００内の機能を提供する種々の命令があり、アップグレードを提供する。フラッシュ・カード３０８は、ユーザ・データおよびアプリケーションを記憶することができる記憶デバイスである。フラッシュ・カード３０８の例は、セキュア・デジタル・カードである。
【００１５】
声および他のタイプのデータの伝送用の経路は、ＲＦＩＣ３１０である。さらに、短距離伝送は、ブルートゥース・ユニット３１６を通して送受信されてもよい。ブルートゥース・ユニット３１６は、ブルートゥース無線仕様に適合し、ブルートゥース無線仕様は、製品開発者のためにリンク層およびアプリケーション層を定義する。この例示的な例において、これらの伝送は共に、アンテナ３１４を通して行われる。
【００１６】
カラーＬＣＤ３１８は、写真用のディスプレイおよびカメラ電話３００用の他のデータを提供する。カメラ３２０は、この例では、相補型金属酸化物半導体（ＣＭＯＳ）カメラであり、カメラ３２０は、ＩＣカード３２２などのモジュールとして、カメラ付き電話３００内に組み込まれるか、または、カメラ付き電話３００に接続されてもよい。ＩＣカード３２２はまた、全地球測位システム（ＧＰＳ）などの他の特定用途向け機能、または、モデムまたは付加的なメモリなどの他の機能を含んでもよい。
【００１７】
カメラ３２０は、カメラ付き電話３００のカメラ・モジュールを形成し、一方、他のコンポーネントは、これらの例示的な例では、カメラ付き電話３００のデジタル電話モジュールを形成する。着信音を管理するための、本発明のプロセスを実施するために、命令または回路が、カメラ付き電話３００に付加される。これらの例では、命令は、フラッシュ・カード３０８またはフラッシュ／ＳＲＡＭ３０６内にあってもよい。これらの命令は、アプリケーション・プロセッサ３０４によって実行されてもよい。カメラ付き電話３００内のコンポーネントは全て、ワイヤ、線、または他の相互接続の形態をとる相互接続システムによって互いに接続される。
【００１８】
ここで、図４を参照すると、携帯情報端末（ＰＤＡ）の形態のクライアントの図解が、本発明の好ましい実施形態に従って示される。ＰＤＡ４００は、図１のＰＤＡなどのＰＤＡの例である。ＰＤＡ４００は、テキストおよびグラフィック情報を提示するためのディスプレイ４０２を含む。ＰＤＡ４００は、液晶ディスプレイ（ＬＣＤ）デバイスなどの既知のディスプレイ・デバイスであってよい。ディスプレイは、マップまたは方向、カレンダ情報、電話番号帳、または電子メール・メッセージを提示するのに使用されてもよい。これらの例では、スクリーン４０２は、たとえば、スタイラス４１０などの入力デバイスを使用して、ユーザ入力を受信してもよい。
【００１９】
ＰＤＡ４００はまた、キーパッド４０４、スピーカ４０６、およびアンテナ４０８を含んでもよい。スクリーン４０２を使用する以外に、キーパッド４０４を使用して、ユーザ入力が受信されてもよい。スピーカ４０６は、音声ファイルの提示などの、音声出力用のメカニズムを提供する。アンテナ４０８は、ＰＤＡ４００とネットワークとの間で無線通信リンクを確立するときに使用されるメカニズムを提供する。
【００２０】
ＰＤＡ４００はまた、好ましくは、グラフィカル・ユーザ・インタフェースを含み、グラフィカル・ユーザ・インタフェースは、ＰＤＡ４００内で動作するコンピュータ読み取り可能媒体内に存在するシステム・ソフトウェアによって実施されてもよい。
【００２１】
ここで、図５を参照すると、ＰＤＡのブロック図が、本発明の好ましい実施形態に従って示される。ＰＤＡ５００は、図４のＰＤＡ４００などのＰＤＡの例であり、本発明のプロセスを実施するコードまたは命令が、ＰＤＡ内にあってもよい。ＰＤＡ５００は、プロセッサ５０４および主メモリ５０６が接続されるバス５０２を含む。ディスプレイ・アダプタ５０８、キーパッド・アダプタ５１０、ストレージ５１２、および音声アダプタ５１４はまた、バス５０２に接続される。バス５０２は、ＰＤＡ５００内のコンポーネント用の相互接続システムを形成する。クレードル・リンク５１６は、ＰＤＡ５００内のデータを別のデータ処理システムと同期させるときに使用されるクレードルにＰＤＡ５００を接続するメカニズムを提供する。さらに、ディスプレイ・アダプタ５０８はまた、タッチ・スクリーン・ディスプレイが使用されるときに、スタイラスからのユーザ入力を受信するメカニズムを含む。
【００２２】
オペレーティング・システムは、プロセッサ５０４上で実行され、図５のＰＤＡ５００内の種々のコンポーネントの制御を調整し提供するのに使用される。オペレーティング・システムは、たとえば、Microsoft  Corporationから入手可能なＷｉｎｄｏｗs  ＣＥ（Ｒ）などの市販のオペレーティング・システムであってよい。オペレーティング・システムおよびアプリケーションまたはプログラム用の命令は、ストレージ５１２などの記憶装置にあり、プロセッサ５０４による実行のために、主メモリ５０６内にロードされてもよい。
【００２３】
図５のハードウェアは、実施態様に応じて変わってもよいことを当業者は理解するであろう。フラッシュＲＯＭ（または、等価な不揮発性メモリ）または光ディスク・ドライブなどのような、他の内部ハードウェアまたは周辺デバイスは、図５に示すハードウェアに加えて、または、その代わりに使用されてもよい。
【００２４】
ここで、図６を参照すると、着信音を管理するのに使用されるコンポーネントの図が、本発明の好ましい実施形態に従って示される。着信音プロセス６００は、ユーザが、ユーザの携帯装置の着信音を、他の携帯装置の着信音と区別することを可能にするように、着信音を管理するのに使用されるプロセスである。着信音プロセス６００は、携帯装置内で、一組の命令または回路として実施されてもよい。着信音プロセス６００が、命令の形態をとるとき、これらの命令は、図３のアプリケーション・プロセッサ３０４用のフラッシュ／ＳＲＡＭ３０６に記憶されてもよい。これらの命令はまた、図５のプロセッサ５０４による実行のために、ストレージ５１２に記憶されてもよい。
【００２５】
この例示的な例では、デフォルト着信音および代替の着信音は、着信音６０２を形成する。着信音６０２はまた、付加的な着信音を含んでもよい。これらの着信音はそれぞれ、リング識別子を通して識別されてもよい。リング識別子は、たとえば、数字、英数字シーケンス、または名前であってよい。この例では、現在の着信音は、携帯装置のデフォルト着信音である。
【００２６】
着信音プロセス６００は、別の携帯装置からリング識別子６０４を受信する。この識別子を受信することに応答して、着信音プロセス６００は、リング識別子６０４を、携帯装置で使用されている現在の着信音についてのリング識別子と比較する。この例では、現在の着信音は、携帯装置について設定されたデフォルト着信音である。リング識別子６０４は、着信音プロセス６００によるリング識別子のブロードキャストに応答して受信されてもよい。あるいは、リング識別子６０４は、着信音プロセス６００が存在する携帯装置を検出することに応答して、他の携帯装置によって送信されるか、ブロードキャストされてしまっていてもよい。
【００２７】
着信音識別子が異なる場合、現在の着信音を変更する方策はとられない。それは、他の携帯装置が、着信音プロセス６００が存在する携帯装置の現在の着信音と混同されることがないためである。リング識別子が同じ場合、着信音プロセス６００は、ユーザ・プロファイル６０６を使用して、現在の着信音を代替の着信音に選択的に変更する。
【００２８】
ユーザ・プロファイル６０６は、現在の着信音が、変更されるべきでないことを指示してもよい。この場合、現在の着信音は、同じままである。別の例では、ユーザ・プロファイル６０６は、現在の着信音として使用されるはずの代替の着信音を提供してもよい。さらなる例示的な例では、ユーザ・プロファイル６０６は、着信音プロセス６００が、ある期間の間待ち、次に、現在の着信音を代替の着信音に変更する前に、同じリング識別子を有する携帯装置が検出されるかどうかを判定すべきであることを指示してもよい。さらに、ユーザ・プロファイル６０６は、着信音６０２から代替の着信音を使用するようにユーザに促すように指示してもよい。多くの他のルールおよびプリファレンスは、特定の実施態様に応じて、ユーザ・プロファイル６０６内に設定されてもよい。
【００２９】
着信音・プロセス６００が現在の着信音を変更するとき、着信音の変更をユーザに報知するための指示が提供される。この指示は、たとえば、新しい着信音の名前の表示であってよい。別の指示は、着信音が変わったことをユーザに知らしめるための可聴の報知であってよい。
【００３０】
現在の着信音の変更は一時的であってよい。現在の着信音として使用される代替の着信音は、ある期間後に、デフォルト・着信音に復帰してもよい。この期間は、ユーザ・プロファイル６０６内にユーザによって設定されてもよい。
【００３１】
ここで、図７を参照すると、現在の着信音を代替の着信音に変更するプロセスの流れ図が本発明の好ましい実施形態に従って示される。図７に示されるプロセスは、図６の着信音・プロセスなどのコンポーネントとして実施されてもよい。
【００３２】
プロセスは、携帯電話の存在を監視することによって始まる（ステップ７００）。これらの例のステップ７００は、携帯電話について、ブルートゥースによって使用される周波数などの無線周波数を監視することを含む。携帯電話が検出されたかどうかについて判定が行われる（ステップ７０２）。携帯電話が存在する場合、リング識別子がブロードキャストされる（ステップ７０４）。リング識別子は、携帯装置において使用中の現在の、すなわち、デフォルトの着信音のためのものである。検出された携帯電話からのリング識別子が受信される（ステップ７０６）。ステップ７０６におけるこのリング識別子は、ステップ７０４で行ったブロードキャストに応答して受信される。
【００３３】
次に、携帯電話からのリング識別子が、現在の着信音用のリング識別子に一致するかどうかについて、判定が行われる（ステップ７０８）。リング識別子間の一致が存在する場合、ユーザ・プロファイルがチェックされる（ステップ７１０）。ユーザ・プロファイルは、リング識別子の一致に応答して、どのステップが行われるべきか特定するために使用される。
【００３４】
この例示的な例では、代替の着信音として使用されるべき着信音が、ユーザによって選択されるべきかどうかについて、判定が行われる（ステップ７１２）。代替の着信音がユーザによって選択されるべきでない場合、ある期間の間待つかどうかについて、判定が行われる（ステップ７１４）。この期間はまた、遅延期間とも呼ばれる。この判定は、これらの例においては、待ち状況(status)をチェックすることによって行われる。真の待ち状況は、プロセスがその期間の間待つべきであることを示し、一方、偽の待ち状況は、プロセスがその期間の間待つべきでないことを示す。プロセスがある期間の間待たないものである場合、現在の着信音は代替の着信音に変更され、待ち状況を真に変更し（ステップ７１６）、プロセスは、上述したステップ７００に戻る。
【００３５】
ステップ７１２に戻ると、着信音がユーザ選択によってされるべきである場合、ユーザは、着信音を選択するように促される（ステップ７１８）。現在の着信音が選択された着信音に変更され（ステップ７２０）、プロセスは、上述したステップ７００に進む。
【００３６】
再びステップ７１４を参照すると、ある期間の間待つという判定が行われる場合、プロセスは、遅延期間が経過するのを待ち、待ち状況を偽にセットする（ステップ７２２）。遅延期間が経過した後、プロセスは、先に述べたステップ７０４に戻る。さらに、この例では、待ち状況は、遅延期間が経過するのを待った後にフラグまたはあるインジケータがセットされることである。その結果、次の回には、ステップ７１４において、プロセスは、この例示的な例では、遅延期間の間待たないであろう。
【００３７】
ステップ７０２に戻ると、携帯電話が存在しない場合、プロセスは、ステップ７００に戻って、携帯電話の存在があるかを監視する。ステップ７０８において、リング識別子の一致が存在しない場合、プロセスはまたステップ７００に戻る。図７のステップは、携帯電話における着信音を管理することを対象とするが、このプロセスは、ＰＤＡなどの他のタイプの携帯装置に適用されてもよい。さらに、図７に示すプロセスは、着信音を変更することができる１つの特定の方法を示す。これらの示したステップに加えて、または、その代わりに、他のステップが付加されてもよい。たとえば、ある期間が経過した後、または、ブロードチャスト中に別の携帯電話がもはや検出されないとき、携帯電話の着信音をデフォルト着信音に戻し、ステップ７０４および７０６について述べたステップを受け取る付加的なステップが含まれてもよい。
【００３８】
こうして、本発明は、ユーザが、ユーザの携帯装置の着信音をそのエリア内の他の携帯装置の他の着信音と区別することを可能にするように、着信音を管理するための方法、装置、およびコンピュータ命令を提供する。２つの携帯装置が同じ着信音を有するとき、一方の携帯装置は、本発明のメカニズムを使用して、その着信音を代替の着信音に変更してもよい。このプロセスはまた、３つ以上のデバイスについて着信音を変更するのに使用されてもよい。
【００３９】
これらの例では、短距離無線通信システムを使用して、他の携帯装置が検出され、リング識別子などの他の情報が送信される。別の携帯装置の存在は、他のメカニズムを使用して識別されてもよい。たとえば、ＧＰＳ情報がサーバに送信されてもよい。サーバは、選択された範囲内にある携帯ユニットを互いから識別し、図７に示すプロセスを始動してもよい。
【００４０】
本発明は、完全に機能するデータ処理システムの文脈において述べられたが、本発明のプロセスは、命令のコンピュータ読み取り可能媒体の形態および種々の形態で分配されることが可能であること、および、分配を実施するのに実際に使用される特定のタイプの信号保持媒体によらず、本発明が、等しく適用されることを当業者が理解することに留意することが重要である。コンピュータ読み取り可能媒体の例は、フレキシブル・ディスク、ハード・ディスク・ドライブ、ＲＡＭ、ＣＤ−ＲＯＭ、ＤＶＤ−ＲＯＭなどの記録可能タイプ媒体、ならびに、たとえば、無線周波数および光波伝送などの伝送形態を使用する、デジタルおよびアナログ通信リンク、有線または無線通信リンクなどの伝送タイプ媒体を含む。コンピュータ読み取り可能媒体は、特定のデータ処理システム内での実際の使用のために復号されるコード化されたフォーマットの形態をとってもよい。
【００４１】
本発明の説明は、例示と説明のために提示されており、網羅的であること、または、開示される形態の発明に限定することを意図されない。多くの変更および変形が、当業者に明らかになるであろう。実施形態は、本発明の原理、実用的な用途を最もよく説明するために、また、当業者が、考えられる特定の使用に適した種々の変更を有する種々の実施形態について、本発明を理解することを可能にするように、選択され、述べられる。
【図面の簡単な説明】
【００４２】
【図１】図１は本発明を実施することができる携帯装置を示す図である。
【図２】図２は本発明を実施することができる携帯電話を示すである。
【図３】図３は本発明の一実施形態に従って示されるカメラ付き電話のブロック図である。
【図４】図４は本発明の代替の実施形態によるＰＤＡの形態のクライアントの図である。
【図５】図５は本発明の代替の実施形態によるＰＤＡのブロック図である。
【図６】図６は本発明の好ましい実施形態による着信音を管理するのに使用されるコンポーネントの図である。
【図７】図７は本発明の好ましい実施形態による現在の着信音を代替の着信音に変更するプロセスの流れ図である。
【図１】
2008522518.tif 000003
【図２】
2008522518.tif 000004
【図３】
2008522518.tif 000005
【図４】
2008522518.tif 000006
【図５】
2008522518.tif 000007
【図６】
2008522518.tif 000008
【図７】
2008522518.tif 000009
【国際調査報告】
2008522518.tif 000010
2008522518.tif 000011